(57)【要約】【課題】輸送品を輸送する際に、輸送品の保護と取り扱いを容易にするために用いる梱包材を提供する。【解決手段】底板１２と、底板１２の周辺から立設された側壁部１６により囲まれて形成される収納部３０を備え、底板１２の外面に、底板外面から離間する方向に延出する底面リブ１４と、側壁部内側から収納部３０の中心方向に延出して形成された内側リブ１８と、側壁部外面に、側壁部外面から離間する方向に延出して形成された側方リブ２０とを有する部材と、同形に形成されたもう１つの部材とから成る、収納部３０に収納した輸送品を挟持して保護する梱包材であって、底面リブ１４の平面位置及び内側リブ１８の平面位置とが互いに干渉しないように配設されていることを特徴とする梱包材１０である。【選択図】　　　　図４
2004010056.tif 000002
【特許請求の範囲】
【請求項１】
底板と、底板の周辺から立設された側壁部により囲まれて形成される収納部を備え、前記底板の外面に、該底板外面から離間する方向に延出する底面リブと、前記側壁部内側から前記収納部の中心方向に延出して形成された内側リブと、前記側壁部外面に、当該側壁部外面から離間する方向に延出して形成された側方リブとを有する部材と、同形に形成されたもう１つの部材とから成る、前記収納部に収納した輸送品を挟持して保護する梱包材であって、
前記底面リブの平面位置及び前記内側リブの平面位置とが互いに干渉しないように配設されていることを特徴とする梱包材。
【請求項２】
前記底面リブと、前記側壁部及び前記内側リブは、前記２つの部材を同方向に重ねた際に、前記側壁部と前記内側リブとにより形成された空間に前記底面リブが入り込むようにそれぞれ形成されていることを特徴とする請求項１記載の梱包材。
【発明の詳細な説明】
【０００１】
【発明の属する技術分野】
本発明は、輸送品を輸送する際に、輸送品の保護と取り扱いを容易にするために用いる梱包材に関する。
【０００２】
【従来の技術】
従来、製品や部品等の輸送品は、輸送品が易損品である場合には、ダンボール箱や通箱に、発泡スチロールによって形成された緩衝材などと共に梱包された後に輸送されている。発泡スチロール以外の緩衝材としては、エアークッションや、スポンジ等が用いられている。
これにより、輸送品を輸送中に生じる衝撃から好適に保護することが可能である。
【０００３】
しかしながら、上記の梱包方法においては、梱包作業に係る手間がかかるため、大量に製造する製品または部品の梱包には不向きであった。
そこで、発泡スチロール等の緩衝性能を有する材料により形成した梱包材等が用いられるようになり、緩衝性を備える梱包作業が容易になった。しかしながら、近年においては、梱包する製品や部品に対する高度な緩衝機能が要求されるようになったため、緩衝性能を有する材料により形成した梱包材に、緩衝機能を向上させるリブを配設した梱包材が提案されている。
【０００４】
【発明が解決しようとする課題】
このように緩衝機能を有するリブが配設された梱包材は、保管時における体積が大きく、製造後、梱包作業に用いるまでの間、収納用の箱や袋に無秩序に放り込まれていることが多く、積み重ねられた梱包材のうち、下側に放り込まれた梱包材のリブが出荷時に既に変形してしまっているという課題や、保管時における梱包材の占用スペースが大きくなってしまうという課題があった。
【０００５】
以上の課題を解決すべく特開平９−３２８１３５号公報および特開平１１−１２４１４０号公報等に開示されているような、蓋体部と収納部とから成る容器の蓋体部及び収納部とがそれぞれ積み重ねることが可能な容器が提案されている。これによれば、保管時における占有容積が小さくなるので好都合である。しかしながら、この容器は、保冷、保温した物品を運搬するために使用する断熱容器であり、収納部内の仕切りが無いため、収納部内における製品と付属品等が互いに衝突してしまうので、衝撃に敏感な物品の輸送には不向きであるという課題がある。
【０００６】
そこで、本発明は、十分な緩衝性能を有する梱包材であって、使用前に変形してしまうことがなく、使用前における占有スペースが小さい梱包材を提供することを目的とする。
【０００７】
【課題を解決するための手段】
以上の課題を解決するために、本発明は次の構成からなる。
すなわち、底板と、底板の周辺から立設された側壁部により囲まれて形成される収納部を備え、前記底板の外面に、該底板外面から離間する方向に延出する底面リブと、前記側壁部内側から前記収納部の中心方向に延出して形成された内側リブと、前記側壁部外面に、当該側壁部外面から離間する方向に延出して形成された側方リブとを有する部材と、同形に形成されたもう１つの部材とから成る、前記収納部に収納した輸送品を挟持して保護する梱包材であって、前記底面リブの平面位置及び前記内側リブの平面位置とが互いに干渉しないように配設されていることを特徴とする梱包材である。
【０００８】
ここで、「前記底面リブの平面位置及び前記内側リブの平面位置とが互いに干渉しないように配設されている」とは、二つの梱包部材を図１に示す平面図の向きに側壁部が互いに重なるように重ね合わせた場合に、底面リブが側壁部および内側リブと重ならないようには位置されていることをいう。
これにより、２つの部材を重ねても、リブが邪魔にならないため、省スペースで保管することができる。また、使用前に整然と保管することができるから、それぞれの梱包材が無秩序に積み重なることがないので、リブが変形してしまうというおそれがなく、エンドユーザの手元に届ける梱包材料として好適に使用することができる。
【０００９】
また、前記底面リブと、前記側壁部及び前記内側リブは、前記２つの部材を同方向に重ねた際に、前記側壁部と前記内側リブとにより形成された空間に前記底面リブが入り込むようにそれぞれ形成することが好ましい。
これにより、複数の部材を重ね合わせても、一体化するため、安定した状態で保管することができるため好適である。
尚、二つの梱包部材は、梱包作業者に届ける時には、同方向に重ね合わせて使用し、梱包作業者が輸送品を梱包する際に、二つの梱包部材を向かい合わせにし、輸送品を二つの梱包部材の収納部に挟持させて使用する。
【００１０】
【発明の実施の形態】
以下、本発明の好適な実施の形態について添付図面を参照しながら詳細に説明するが、本発明はこの実施の形態に限定されるものではない。本実施の形態に改変を施し他としても本発明の要旨を逸脱しない限りは本発明の技術的範囲に属することはいうまでもない。
図１は、本実施の形態に係る梱包材の平面図である。図２は、本実施の形態に係る梱包材の底面図である。
【００１１】
本実施の形態に係る梱包材１０は、発泡ポリスチレン、発泡ポリオレフィン等の緩衝性能を有する材料により形成されている。
梱包材１０は、底板１２と、底板１２の外面に底板外面から離間する方向に延出する底面リブ１４と、底面リブ１４の延出方向とは反対側の底板１２面の外周縁端に立設する側壁部１６と、一方の側壁部１６ａの内側表面から側壁部１６ａの内側に延伸する内側リブ１８と、他方の側壁部１６ｂの外側表面から側壁部１６ｂと離間する方向に延伸する側方リブ２０と、内側リブ１８と同位置の側壁部１６ａに形成された側方リブであるスペーサ２２とにより概略構成が成されている。
底板１２と、側壁部１６および内側リブ１８とにより囲まれている部分が収納部３０である。
【００１２】
底面リブ１４について詳細に説明する。
本実施の形態においては、底面リブ１４として、底板１２の中央部に配設した第１の底面リブ１４ａと底板１２の両脇部分に配設した第２の底面リブ１４ｂとからなり、第１の底面リブ１４ａの底面積と第２の底面リブ１４ｂの底面積は、第１の底面リブ１４ａの底面積の方が大きくなるように形成されている。具体的な底面リブ１４の形状としては、例えば、第１の底面リブ１４ａを直方体として、第２の底面リブ１４ｂを柱状にすること等が考えられる。
【００１３】
略長方形に形成された底板１２の外側面には、略中央部分に直方体に形成された第１の底面リブ１４ａと、第１の底面リブ１４ａの両脇位置に、底板１２の外底面から離間する方向に徐々に先細型に形成された突起状の第２の底面リブ１４ｂが配設されている。第２の底面リブ１４ｂのそれぞれは、先に説明した通り先細状のテーパ突起状に形成されているが、先端部分を底板１２面と平行な平面で切り落としているため、四角錘台形状になっている。
第２の底面リブ１４ｂと底板１２との接触面の重心位置Ｇ１と、第２の底面リブ１４ｂの先端面の重心位置Ｇ２の平面位置は一致しておらず、第２の底面リブ１４ｂは、底板１２のコーナー部方向へ偏心した四角錘台形に形成されている。また、第１の底面リブ１４ａの高さと第２の底面リブ１４ｂの高さは等しく形成されている。
【００１４】
第１の底面リブ１４ａと第２の底面リブ１４ｂは、図２に示すように、第１の底面リブ１４ａと第２の底面リブ１４ｂとの中間位置に、第１の底面リブ１４ａの長手方向に平行に引いた破線と底板の縁端線とにより囲まれた部分の面積が略等しくなるように配設すれば、それぞれの底面リブ１４に作用する荷重をバランスよく分散させることができるため好適である。
第１の底面リブ１４ａは輸送品の重心位置に配設されているので、直方体形状に形成し、常に安定して輸送品からの荷重を支えることができる。衝撃が作用した場合は第１の底面リブ１４ａおよび第２の底面リブ１４ｂが共に変形して輸送品を保護する。
【００１５】
次に内側リブ１８について説明する。
内側リブ１８は、側壁部１６の内側面に側壁部１６から離間する方向に延出してなる直方体に形成されたものである。内側リブ１８は、側壁部１６ａに２箇づつ、それぞれ対向する位置に合計４箇所に配設されており、輸送品の幅と、対向する内側リブ１８、１８の内側間隔が略等しくなっている。もう一方の側壁部１６ｂには、内側リブ１８、１８の内側間隔と等しい間隔を有する凹部１６ｃが形成されている。
輸送品は、凹部１６ｃと内側リブ１８、１８の離間部分で形成された収納部３０に、凹部１６ｃと内側リブ１８とにより挟持されて収納される。
【００１６】
次に側方リブ２０について説明する。
側方リブ２０は、内側リブ１８が形成されていない側の側壁部１６ｂの外側面に間隔をあけて２箇所に形成されている。側方リブ２０は、側壁部１６ｂの外側面から側壁部１６ｂから離間する方向に徐々に先細になる平面視テーパ状に形成されている。側方リブ２０の高さは、側壁部１６の高さの約半分であり、上端面部分は側壁部１６の上端面と等しく設定されている。また、側壁部１６の壁厚と同程度の厚さを有する板２１により２つの側方リブ２０、２０が一体となるように形成されている。
側方リブ２０と板２１により、手掛け部分２４が構成される。手掛け部分２４により、積み上げた梱包材１０の取出しや輸送先において梱包を解く作業が容易に行えるため好適である。
【００１７】
スペーサ２２について説明する。
スペーサ２２は、側壁部１６ａの外側面に内側リブ１８と同位置に配設されている。スペーサ２２は、輸送品を梱包材１０により挟持した後、図示しない包装用の箱に詰める際に、底板１２と包装用の箱の内面に密着することを防ぎ、隙間を生じさせることにより空気抜き部分としても機能し、梱包材１０と輸送品の詰め込み作業を容易にするものである。
また、スペーサ２２が側壁部１６ａから突出しているため、包装用の箱に対する梱包材１０の支点として作用する。また、内側リブ１８が側壁部１６ａを隔ててスペーサ２２と一体に形成されている。これにより、内側リブ１８がしっかりと輸送品（図示せず）を挟持することが可能になる。スペーサ２２自身も緩衝性能を有しているので、輸送中に生じる衝撃から輸送品を好適に保護することができるので、側方リブとしての機能も有している。
【００１８】
本実施の形態に係る梱包材１０は、以上に説明した形状に形成された同形の２つの部材を一単位とし、それぞれの収納部３０に輸送品を挟持させ、図示しない包装用の箱に入れて輸送品をエンドユーザまで輸送する。
【００１９】
図３は、図１のＡ−Ａ線における切断面図である。図４は、本実施の形態に係る梱包材を重ねた状態を示す説明図である。
本実施の形態における梱包材１０の側方リブ２０の深さは、収納部３０の深さと略等しく形成されている。収納部３０の一部分には、底面リブ１４が収納される（図４参照）。特に、第２の底面リブ１４ｂは、内側リブ１８と側壁部１６ｂとにより囲まれて形成される嵌合部３２に嵌合する状態で収納される。嵌合部３２の深さに比べて、第２の底面リブ１４ｂの高さが小さくなっているが、本発明に係る梱包材１０は、輸送品を製造元からエンドユーザまでの間で輸送品を輸送するためのものであり、梱包材１０の保管は輸送品の出荷前だけであるので、強固な嵌合はかえって不都合であるためである。
また、輸送品の重量に応じて、底面リブ１４の大きさや形状が変更されるが、底面リブ１４の高さは収納部３０のまたは嵌合部３２の深さを限度にすれば、梱包材１０を重ねた際において、底面リブ１４が収納部３０または嵌合部３２の底面に突き当たることがなく、底面リブ１４が損傷することがないため好都合である。
【００２０】
図４に示すようにして梱包材１０を保管すれば、梱包材１０の上方からの重量が側壁部１６にのみ作用するため、底面リブ１４を変形させてしまうおそれがない。さらには、第２の底面リブ１４ｂが嵌合部３２に軽く嵌合しているため、梱包材１０を積み上げた際においても略一体となっているので、不安定になることがなく、省スペースで保管することが可能になる。
【００２１】
以上に本発明に係る梱包材について詳細に説明してきたが、本発明は以上に示した実施の形態に限定されるものではない。例えば、梱包材の全体形状は、長方形に限らず、各種の形状としてもよいし、また、底面リブ、内側リブ、側面リブの形状、大きさ、個数、配設位置については、輸送品の大きさ、衝撃に対する敏感度に応じて適宜変更されるのはもちろんのことである。
例えば、本実施の形態においては、二つの梱包部材を同形に形成することによって部材の製造、取り扱いにおける利便性を持たせているが、輸送品が天地無用である場合等においては、二つの梱包部材を天用、地用に底面リブの平面位置および内側リブの平面位置とが互いに緩衝しない範囲で若干の形状の変化を持たせて、必ずしも同一の形状にしなくても良いのはもちろんである。このような変更をしても本発明の技術的範囲内に属することはいうまでもない。
【００２２】
【発明の効果】
本発明に係る梱包材によれば以下に示すような効果を得ることができる。
すなわち、底面リブ、内側リブおよび側面リブを有するので優れた緩衝機能を有し、このように多数のリブが配設された梱包材でありながら、使用前に収納用の箱や袋に無秩序に放り込まれることがなく、整然と保管することができるため、梱包材のリブが出荷前に変形してしまうことがなく、使用前における梱包材の占用スペースを小さくすることが可能になる。
また、収納部内に仕切りがあるので、収納部内における製品と付属品等が互いに衝突してしまうことがなく、精密部品等衝撃に敏感な物品の輸送に好適であるなどといった著効を奏する。
【図面の簡単な説明】
【図１】本発明に係る緩衝材の平面図である。
【図２】本発明に係る緩衝材の底面図である。
【図３】図１のＡ−Ａ線における断面図である。
【図４】本発明にかかる緩衝材重ねた状態における説明図である。
【符号の説明】
１０　梱包材
１２　底板
１４　底面リブ
１６　側壁部
１８　内側リブ
２０　側方リブ
２１　板
２２　スペーサ
２４　手掛け部分
３０　収納部
３２　嵌合部
【図１】
2004010056.tif 000003
【図２】
2004010056.tif 000004
【図３】
2004010056.tif 000005
【図４】
2004010056.tif 000006